(57)【要約】【課題】ワイヤレス通信機（子機）を充電器に誤って逆向きに差し込んでも容易に判別できる通信装置を提供する。【解決手段】子機２が差し込まれる充電スロット３の底面３１を水平な被設置面に対して所定の角度傾斜し、かつ、その底面３１の下流側に子機２に設けられた係合凹部２５に係合する凸部５を設ける。【選択図】図４
2009206864.tif 000002
【特許請求の範囲】
【請求項１】
筐体内にバッテリーを内蔵するワイヤレス通信機と、上記ワイヤレス通信機が挿入される充電スロットを有する充電器とを含む通信装置において、
上記ワイヤレス通信機は、筐体の所定の面に充電端子が設けられ、かつ、その重心が上記筐体の中心に対して偏った位置に設けられているとともに、上記筐体の底面には、凹部が上記重心側に設けられており、
上記充電スロット内には、上記ワイヤレス通信機の正常挿入時に上記充電端子と接触する給電端子が設けられ、上記筐体の底面が置かれる上記充電スロットの底面は、水平面に対して所定角度傾斜され、その傾斜面の下流側の角部には、上流側の角部よりも高い位置に頂部を有する凸部が設けられているとともに、上記充電スロットは、上記充電スロット内で上記ワイヤレス通信機が揺動し得るように、上記底面から開口に向かうにつれて開口幅が漸次大きくなるように形成されていることを特徴とする通信装置。
【請求項２】
上記凸部は、上記ワイヤレス通信機の差し込み方向が正常方向な場合において、上記ワイヤレス通信機のバッテリー側に設けられていることを特徴とする請求項１に記載の通信装置。
【請求項３】
上記充電スロットは複数設けられており、各充電スロットの底面が同一方向に傾斜していることを特徴とする請求項１または２に記載の通信装置。
【請求項４】
上記充電スロットの底面の下流側には、上記充電スロット内に溜まった水を逃がすための水抜き孔が設けられていることを特徴とする請求項１，２または３に記載の通信装置。
【発明の詳細な説明】
【技術分野】
【０００１】
本発明は、例えばフードコートなどで順番待ちの顧客に配布されるワイヤレス通信機および同ワイヤレス通信機を充電するための充電器を含む通信装置に関し、さらに詳しく言えば、充電器にワイヤレス通信機の誤挿入防止手段を備えた通信装置に関する。
【背景技術】
【０００２】
例えばフードコートなどにおいて順番待ちをする際に、店舗側が顧客に順番が来たことを教える呼出器を貸し出すことがある。例えば特許文献１に示すように、この呼出器は、ワイヤレスコールシステムの一部を構成する子機であり、店舗側で管理されている親機からの呼出信号を受信して、内蔵するブザーや表示部に順番が来たことを知らせるようになっている。
【０００３】
通常、この呼出器（子機）はワイヤレスで通信を行うため、駆動用のバッテリーを内蔵しており、定期的に呼出器を充電する必要がある。呼出器の充電には、特許文献１に示すような充電台に設けられた充電スロットに呼出器を差し込むことにより、充電スロットと呼出器とが電気的に接続して充電されるようになっている。
【０００４】
通常、呼出器は逆に差し込まれた場合は、充電スロットの底まで完全に差し込むことができなかったり、充電端子に接触しないためＬＥＤインジケータが点灯しないなどの方法でユーザに逆差し状態であることを認識させていた。
【０００５】
【特許文献１】特開２００７−２９５２９６号公報
【発明の開示】
【発明が解決しようとする課題】
【０００６】
しかしながら、従来の方法では、逆差し状態のまま強引に差し込まれたりした場合、子機や充電台を損傷するおそれがあった。また、強引に差し込まれた際に、給電端子と充電端子同士が逆に接触した場合、バッテリーに損傷を与えかねない。
【課題を解決するための手段】
【０００７】
そこで、本発明は上述した課題を解決するため、ワイヤレス通信機（子機）を誤って逆向きに差し込んでも容易に判別できる充電器を備えた通信装置を提供することにある。
【０００８】
上述した目的を達成するため、本発明は以下に示すいくつかの特徴を備えている。請求項１に記載の発明は、筐体内にバッテリーを内蔵するワイヤレス通信機と、上記ワイヤレス通信機が挿入される充電スロットを有する充電器とを含む通信装置において、
上記ワイヤレス通信機は、筐体の所定の面に充電端子が設けられ、かつ、その重心が上記筐体の中心に対して偏った位置に設けられているとともに、上記筐体の底面には、凹部が上記重心側に設けられており、上記充電スロット内には、上記ワイヤレス通信機の正常挿入時に上記充電端子と接触する給電端子が設けられ、上記筐体の底面が置かれる上記充電スロットの底面は、水平面に対して所定角度傾斜され、その傾斜面の下流側の角部には、上流側の角部よりも高い位置に頂部を有する凸部が設けられているとともに、上記充電スロットは、上記充電スロット内で上記ワイヤレス通信機が揺動し得るように、上記底面から開口に向かうにつれて開口幅が漸次大きくなるように形成されていることを特徴としている。
【０００９】
請求項２に記載の発明は、上記請求項１において、上記凸部は、上記ワイヤレス通信機の差し込み方向が正常方向な場合において、上記ワイヤレス通信機のバッテリー側に設けられていることを特徴としている。
【００１０】
請求項３に記載の発明は、上記請求項１または２において、上記充電スロットは複数設けられており、各充電スロットの底面が同一方向に傾斜していることを特徴としている。
【００１１】
請求項４に記載の発明は、上記請求項１，２または３において、上記充電スロットの底面の下流側には、上記充電スロット内に溜まった水を逃がすための水抜き孔が設けられていることを特徴としている。
【発明の効果】
【００１２】
この発明によれば、充電スロットにワイヤレス通信機が正常に差し込まれた場合は、凸部と凹部とが嵌合することにより、傾斜方向に沿って斜めに充電スロット内に保持されるのに対し、逆差しされた場合は、凸部がワイヤレス通信機の底部を押しあげ、かつ、その重心が傾斜面の上流側に配置されることにより、傾斜面とは逆方向に傾斜することで、一目で逆差し状態であることを判別することができる。
【発明を実施するための最良の形態】
【００１３】
次に、本発明の実施形態について図面を参照しながら説明する。図１は、本発明の一実施形態に係るワイヤレス通信機と充電器とを分離して示す分解斜視図であり、図２は、ワイヤレス通信機の断面図である。
【００１４】
図３（ａ）は、充電器の平面図、図３（ｂ）はＡ−Ａ線断面図である。図４は、充電器に正常に挿入されたワイヤレス通信機と、誤挿入されたワイヤレス通信機とを示す斜視図であり、図５（ａ）は、ワイヤレス通信機を正常に差し込んだ状態の要部断面図、図５（ｂ）は、逆差し（逆挿入）した状態の要部断面図である。
【００１５】
図１に示すように、この通信装置は、図示しない親機とワイヤレス通信を行うワイヤレス通信機２（以下、子機２）と、同ワイヤレス通信機２を充電するための充電器１とを備えている。
【００１６】
図２を併せて参照して、子機２は、合成樹脂製の矩形状の筐体を有し、その前面（図１では左斜め前面）には、呼出時に各種情報を表示する液晶表示部２１および応答ボタン２２が設けられている。
【００１７】
子機２１の上面には、充電状態や呼出状態などにおいて点灯するＬＥＤインジケータ２３が設けられている。ＬＥＤインジケータ２３は、各種状態に応じて色分けされて発光するようになっている。子機２の上面にはさらに、携帯用ストラップが取り付けられるストラップホール２４が設けられている。
【００１８】
子機２１の底部には、上述した充電スロット３の凸部５に係合する係合凹部２５が凸部５，５に噛み合うように２箇所設けられている。係合凹部２５は、子機２１の底面から側面にかけての角部（図２では右角部）に沿ってＬ字状に切り欠かれた切欠溝からなる。
【００１９】
子機２の内部には、子機２を駆動するための電力を供給するバッテリー２６が設けられている。この例において、バッテリー２６は、メンテナンス性を考慮して、子機２の背面側（図２では右側面側）に着脱自在に設けられている。
【００２０】
係合凹部２５は、バッテリー２６を搭載した状態の子機２の重心寄り、図２では右寄りに設けられている。この例において、子機２のバッテリー２６を備えた重心は、右下に位置するようになっている。
【００２１】
子機２の底部にはさらに、充電スロット３内の給電端子４，４に接触する充電端子２７が設けられている。充電端子２７は、図５（ａ）に示すように、子機２が正しい方向に差し込まれたときにのみ給電端子４と接触するように設けられており、図５（ｂ）に示すように、逆方向に差し込まれた場合は、充電端子２７と給電端子４とは接触しないようになっている。
【００２２】
図３（ａ），（ｂ）に示すように、充電器１は合成樹脂製の筐体を有し、その上面には子機２が差し込まれる充電スロット３が多数設けられている。充電器１の一方の側面（図３（ａ）では右側面）には、電源アダプタのプラグ（ともに図示せず）が差し込まれるプラグ差込口１１が設けられている。
【００２３】
充電器１の他方の側面（図３（ａ）では左側面）には、電源アダプタからの給電中に点灯するＬＥＤインジケータ１２が設けられている。充電器１の底部には、充電器１を図示しない被設置面に沿って水平に置くための脚部１３が４カ所設けられている。なお、本発明において、プラグ差込口１１，ＬＥＤインジケータ１２および脚部１３は、任意的な構成要素である。
【００２４】
各充電スロット３は、充電器１の長手方向に沿って一定間隔で、この例では５箇所配置されている。各充電スロット３はともに同一形状であるため、以下においては、その１つを例にとって説明する。
【００２５】
充電スロット３は、上面が開放された有底な四角形を呈し、底面３１は被設置面に対して傾斜された傾斜されている。この例において、底面３１は左側（上流）から右側（下流）に向かって右下がりに傾斜角６°で傾斜している。底面３１は、上記子機２の底面とほぼ同じ大きさを備えている。
【００２６】
充電スロット３は、底面３１から上面にかけてその側壁３２の開口幅が漸次大きくなるように形成されている。これにより、充電スロット３内に収納された子機２は、底面３１を基端として左右に揺動するようになっている。なお、底面３１の傾斜角および側壁３２の開口幅は、仕様に応じて任意に変更されて良い。
【００２７】
充電スロット３の底面３１のほぼ中央には、子機２に電気的に接触する一対の給電端子４，４が左右対称に設けられている。図３（ｂ）に示すように、給電端子４，４は、充電スロット３の開口に向かって先端が突出するように形成された山形状の板バネからなり、図示しない電源回路から電力が供給されている。
【００２８】
充電スロット３の底部３１には、さらに一対の凸部５，５が設けられている。図３（ａ）および（ｂ）に示すように、凸部５，５は、底面３１の傾斜面の下流（図３（ｂ）では右側）の角部に設けられており、子機２が正常に差し込まれた場合、凸部５，５が子機２の底部に設けられた係合凹部２５に相対的に嵌合するようになっている。
【００２９】
凸部５，５はまた、その頂部が上流側の角部よりも高い位置になるように形成されている。これによれば、子機２を充電スロット３に逆差しした場合、凸部５，５によって子機２は反傾斜方向に強制的に傾けられる。
【００３０】
この例において、凸部５，５は、充電スロット３の幅方向の中心（図３では上下方向）を挟んで左右対称に２つ設けられているが、少なくとも底面３１の下流側に設けられていればよく、数は１つでも複数設けられていてもよい。また、凸部５，５の形状は、子機２側に合致する形状であれば、板状であってもよいし、半球状であってもよく、仕様に応じて任意に変更可能である。
【００３１】
充電スロット３の底面３１にはさらに、子機２などに付着した水滴が充電スロット３内に溜まらないようにするための水抜き孔６が設けられている。水抜き孔６は、底面３１の下流側（図３（ｂ）では右側）の角部に設けられており、制御板を突き抜けて筐体底部に向けて開放されている。
【００３２】
次に、図５（ａ）および（ｂ）を参照して、この逆差し防止機構のメカニズムについて説明する。図５（ａ）に示すように、子機２を充電スロット３の上面開口部から正常方向から差し込んでゆくと、子機２は、充電スロット３の側壁３２に沿って底面３１にむかって落ちてゆく。
【００３３】
子機２が底面３１に近づくにつれ、子機２に設けられた係合凹部２５内に凸部５が差し込まれてゆき、底面３１に沿って子機２が斜めに立て掛けられた状態で保持される。これと同時に、給電端子４と充電端子２７とが接触して、ＬＥＤインジケータ２３が点灯して、充電が開始される。
【００３４】
子機２が充電スロット３に逆向きに差し込まれた場合は、図４（ｂ）に示すように、凸部５の先端が係合凹部２５内に差し込まれることなく、子機２の他方の角部に接触する。凸部５の頂部は、底面３１の上流側の角部よりも高い位置に設けられているとともに、重心がバッテリー２６側に偏っているため、重量バランスによって子機２は、底面３１とは逆方向に倒れ込む。これにより、一目で逆差し状態であることを視認することができる。
【００３５】
これによれば、図３に示すように、充電器１の充電スロット３に多数の子機２が差し込まれているような場合において、そのうちの１つの子機２（図３では右から２番目）が逆向きに差し込まれていても、容易に一目で判別することができる。
【図面の簡単な説明】
【００３６】
【図１】本発明の一実施形態に係るワイヤレス通信機（子機）の充電器の斜視図。
【図２】上記ワイヤレス通信機の要部断面図。
【図３】上記充電器の（ａ）平面図および（ｂ）Ａ−Ａ線断面図。
【図４】充電器に子機を差し込んだ状態の斜視図。
【図５】（ａ）子機を正常方向から差し込んだ状態の要部断面図，（ｂ）子機を逆方向から差し込んだ状態の要部断面図。
【符号の説明】
【００３７】
１  充電器
２  ワイヤレス通信機（子機）
２５  係合凹部
３  充電スロット
３１  底面
３２  側壁
４  給電端子
５  凸部
【図１】
2009206864.tif 000003
【図２】
2009206864.tif 000004
【図３】
2009206864.tif 000005
【図４】
2009206864.tif 000006
【図５】
2009206864.tif 000007